(57)【要約】【課題】サイズが小さく、異なるバンドの間に良好な隔離性を有するデュアルバンドアンテナモジュールを提供する。【解決手段】本発明のデュアルバンドアンテナモジュールは、第一フィード端１２２及び第一接地端１２４を含み、共振結合により第一周波数帯を発生させる第一輻射部１２０と、第二フィード端１３２及び第二接地端１３４を含み、共振結合により第二周波数帯を発信させる第二輻射部１３０と、第一輻射部１２０から離間する方向に第一フィード端１２２から延伸され、第二周波数帯のフィルタリングを行う第一フィルター１４０と、第二輻射部１３０から離間する方向に第二フィード端１３２から延伸され、第一周波数帯のフィルタリングを行う第二フィルター１５０とを備える。【選択図】図１
2019075773.tif 000002
【特許請求の範囲】
【請求項１】
第一フィード端及び第一接地端を含み、共振結合により第一周波数帯を発生させる第一輻射部と、
第二フィード端及び第二接地端を含み、共振結合により第二周波数帯を発信させる第二輻射部と、
前記第一輻射部から離間する方向に前記第一フィード端から延伸され、前記第二周波数帯のフィルタリングを行う第一フィルターと、
前記第二輻射部から離間する方向に前記第二フィード端から延伸され、前記第一周波数帯のフィルタリングを行う第二フィルターとを備えることを特徴とするデュアルバンドアンテナモジュール。
【請求項２】
前記第一接地端が連接される第一接地パターンと、
前記第二接地端が連接される第二接地パターンとを更に備え、前記第一接地パターン及び前記第二接地パターンが前記第一輻射部と前記第二輻射部との間にそれぞれ配置されていることを特徴とする請求項１に記載のデュアルバンドアンテナモジュール。
【請求項３】
対向する第一面及び第二面を含み、前記第一接地パターン及び前記第二接地パターンが前記第一面にそれぞれ配置される載置板と、
前記第二面に配置される第三接地パターンと、
前記載置板を貫通させ、一の部分が前記第一接地パターン及び前記第三接地パターンに連接され、他の部分が前記第二接地パターン及び前記第三接地パターンに連接される複数のビアとを更に備えていることを特徴とする請求項２に記載のデュアルバンドアンテナモジュール。
【請求項４】
前記第一接地パターン及び前記第二接地パターンが前記第一面の中間領域にそれぞれ配置され、前記第一輻射部及び前記第二輻射部が前記第一面で前記中間領域から離間する方向にそれぞれ延伸され、前記第一フィルターが前記第一フィード端から前記中間領域まで延伸され、且つ前記第二フィルターが前記第二フィード端から前記中間領域まで延伸されていることを特徴とする請求項３に記載のデュアルバンドアンテナモジュール。
【請求項５】
前記第一接地パターン及び前記第三接地パターンに連接されるこれら前記ビアが前記第一接地パターンの外縁に沿って配列され、且つ前記第二接地パターン及び前記第三接地パターンに連接されるこれら前記ビアが前記第二接地パターンの外縁に沿って配列されていることを特徴とする請求項３に記載のデュアルバンドアンテナモジュール。
【請求項６】
前記第一接地パターンは、前記第一フィルターを進入させる凹部を有することを特徴とする請求項２に記載のデュアルバンドアンテナモジュール。
【請求項７】
前記第一接地パターン及び前記第二接地パターンは、対応する輪郭を有し、且つ前記第二フィルターは、前記第一接地パターンの輪郭及び前記第二接地パターンの輪郭に沿って前記第一接地パターンと前記第二接地パターンとの間に延伸されることを特徴とする請求項２に記載のデュアルバンドアンテナモジュール。
【請求項８】
前記第一フィルターの長さは前記第二周波数帯の波長の１／４であり、且つ前記第二フィルターの長さは前記第一周波数帯の波長の１／４であることを特徴とする請求項１に記載のデュアルバンドアンテナモジュール。
【請求項９】
前記第一周波数帯は２４００ＭＨｚ〜２５００ＭＨｚの間の範囲であり、且つ前記第二周波数帯は５１５０ＭＨｚ〜５８５０ＭＨｚの間の範囲であることを特徴とする請求項１に記載のデュアルバンドアンテナモジュール。
【発明の詳細な説明】
【技術分野】
【０００１】
本発明は、アンテナモジュールに関し、更に詳しくは、デュアルバンドアンテナモジュール（ｄｕａｌ  ｂａｎｄ  ａｎｔｅｎｎａ  ｍｏｄｕｌｅ）に関する。
【背景技術】
【０００２】
従来のワイヤレス伝送システムでは、デュアルバンドシステム（例えば、同時に２．４Ｇのバンド幅及び５Ｇのバンド幅を両方を含む）が非常に普及している。
【０００３】
デュアルバンドシステムのアンテナの設計では、２つのシングルバンドアンテナが採用される設計がそのうちの１種である。但し、このような設計では、２つのシングルバンドアンテナの間の信号が十分に隔離されない問題が発生するため、通常は２つのアンテナの間の距離を増やすことで、信号の隔離性を高めている。しかしながら、２つのアンテナの間の距離を増やすと、アンテナ全体のサイズが大きくなってしまい、小型化が難しくなる。他の設計では、デュアルバンドアンテナが採用され、且つデュプレクサ（ｄｉｐｌｅｘｅｒ）により異なるバンドの信号を周波数分割させている。これ以外にも、デュアルバンドアンテナにはデュプレクサが必要であるため、全体的な価格も高騰してしまう。
【発明の概要】
【発明が解決しようとする課題】
【０００４】
そこで、本発明者は上記の課題が改善可能と考え、鋭意検討を重ねた結果、合理的な設計で上記の課題を効果的に改善する本発明の提案に到った。
【０００５】
本発明は、このような従来の問題に鑑みてなされたものである。上記課題の解決のため、本発明は、サイズが小さく、異なるバンドの間に良好な隔離性を有し、且つ低コストなデュアルバンドアンテナモジュールを提供することを目的とする。
【課題を解決するための手段】
【０００６】
上記課題を解決するために、本発明のデュアルバンドアンテナモジュールは、第一輻射部と、第二輻射部と、第一フィルターと、第二フィルターとを備える。第一輻射部は、第一フィード端及び第一接地端を含み、第一輻射部は共振結合により第一周波数帯を発生させる。第二輻射部は、第二フィード端及び第二接地端を含み、第二輻射部は共振結合により第二周波数帯を発生させる。第一フィルターは、前記第一輻射部から離間する方向に前記第一フィード端から延伸され、第一フィルターは第二周波数帯のフィルタリングを行う。第二フィルターは、前記第二輻射部から離間する方向に前記第二フィード端から延伸され、第二フィルターは第一周波数帯のフィルタリングを行う。
【０００７】
好ましい実施形態では、上述のデュアルバンドアンテナモジュールは第一接地パターン及び第二接地パターンを更に備える。第一接地端が第一接地パターンに連接される。第二接地端が第二接地パターンに連接される。第一接地パターン及び第二接地パターンは、第一輻射部と第二輻射部との間にそれぞれ配置されている。
【０００８】
好ましい実施形態では、上述のデュアルバンドアンテナモジュールは、載置板と、第三接地パターンと、複数のビアとを更に備える。載置板は、対向する第一面及び第二面を含み、第一接地パターン及び第二接地パターンが第一面にそれぞれ配置される。第三接地パターンは、第二面に配置される。これらビアは、載置板を貫通させ、これらビアの一の部分が第一接地パターン及び第三接地パターンに連接され、これらビアの他の部分が第二接地パターン及び第三接地パターンに連接される。
【０００９】
好ましい実施形態では、上述の第一接地パターン及び第二接地パターンが第一面の中間領域にそれぞれ配置され、第一輻射部及び第二輻射部が第一面で中間領域から離間する方向にそれぞれ延伸される。第一フィルターが第一フィード端から中間領域まで延伸され、且つ第二フィルターが第二フィード端から中間領域まで延伸されている。
【００１０】
好ましい実施形態では、上述の第一接地パターン及び第三接地パターンに連接されるこれらビアが第一接地パターンの外縁に沿って配列され、且つ第二接地パターン及び第三接地パターンに連接されるこれらビアが第二接地パターンの外縁に沿って配列されている。
【００１１】
好ましい実施形態では、上述の第一接地パターンは第一フィルターを進入させる凹部を有する。
【００１２】
好ましい実施形態では、上述の第一接地パターン及び第二接地パターンは、対応する輪郭を有し、且つ第二フィルターは、第一接地パターンの輪郭及び第二接地パターンの輪郭に沿って第一接地パターンと第二接地パターンとの間に延伸される。
【００１３】
好ましい実施形態では、上述の第一フィルターの長さは第二周波数帯の波長の１／４であり、且つ第二フィルターの長さは第一周波数帯の波長の１／４である。
【００１４】
好ましい実施形態では、上述の第一周波数帯は２４００ＭＨｚ〜２５００ＭＨｚの間の範囲であり、且つ第二周波数帯は５１５０ＭＨｚ〜５８５０ＭＨｚの間の範囲である。
【発明の効果】
【００１５】
本発明のデュアルバンドアンテナモジュールは、第一輻射部及び第二輻射部がそれぞれ共振結合により第一周波数帯及び第二周波数帯を発生させ、且つ第一輻射部の第一フィード端の箇所は第一フィルターにより第二周波数帯のフィルタリングを行うように設計され、第二輻射部の第二フィード端の箇所は第二フィルターにより第一周波数帯のフィルタリングを行うように設計される。これにより、第一周波数帯と第二周波数帯との間に良好な隔離性を有することができる。このため、第一輻射部と第二輻射部の間に大きな間隔を空ける必要がなくなり、デュアルバンドアンテナモジュール全体のサイズを小型化させることが可能になる。また、本発明に係るデュアルバンドアンテナモジュールには、デュプレクサを配置する必要もないので、コストも低くなる。
【図面の簡単な説明】
【００１６】
【図１】本発明の一実施形態に係るデュアルバンドアンテナモジュールを示す斜視図である。
【図２】図１のデュアルバンドアンテナモジュールの背面を示す概略図である。
【図３】図１のデュアルバンドアンテナモジュールの周波数、リターンロス及び隔離性の関係を示す関係図である。
【図４】図１のデュアルバンドアンテナモジュールによる第１バンドがＸ-Ｚ平面におけるフィールド分布図である。
【図５】図１のデュアルバンドアンテナモジュールによる第１バンドがＹ-Ｚ平面におけるフィールド分布図である。
【図６】図１のデュアルバンドアンテナモジュールによる第１バンドがＸ-Ｙ平面におけるフィールド分布図である。
【図７】図１のデュアルバンドアンテナモジュールによる第２バンドがＸ-Ｚ平面におけるフィールド分布図である。
【図８】図１のデュアルバンドアンテナモジュールによる第２バンドがＹ-Ｚ平面におけるフィールド分布図である。
【図９】図１のデュアルバンドアンテナモジュールによる第２バンドがＸ-Ｙ平面におけるフィールド分布図である。
【発明を実施するための形態】
【００１７】
以下、本発明を実施するための最良の形態を、実施例と図面に基づいて詳細に説明する。尚、以下に説明する実施の形態は、特許請求の範囲に記載された本発明の内容を限定するものではない。また、以下に説明される構成の全てが、本発明の必須要件であるとは限らない。
【実施例】
【００１８】
図１は、本発明の一実施形態に係るデュアルバンドアンテナモジュールを示す斜視図である。図２は、図１のデュアルバンドアンテナモジュールの背面を示す概略図である。図１及び図２を参照されたい。本実施形態に係るデュアルバンドアンテナモジュール１００は、載置板１１０と、第一輻射部１２０と、第二輻射部１３０と、第一フィルター１４０と、第二フィルター１５０と、第一接地パターン１６０と、第二接地パターン１７０とを備える。載置板１１０は、対向する第一面１１２及び第二面１１４を含む（図２参照）。図１に示されるように、第一輻射部１２０、第二輻射部１３０、第一フィルター１４０及び第二フィルター１５０、並びに第一接地パターン１６０及び第二接地パターン１７０は載置板１１０の第一面１１２に配置されている。当然ながら、他の実施形態では、デュアルバンドアンテナモジュール１００の載置板１１０が省略され、電子装置のケースに直接形成されていてもよい。
【００１９】
図１に示されるように、第一輻射部１２０は、第一フィード端１２２及び第一接地端１２４を備え、第一接地端１２４は、第一接地パターン１６０に連接されている。第二輻射部１３０は、第二フィード端１３２及び第二接地端１３４を備え、第二接地端１３４は、第二接地パターン１７０に連接されている。
【００２０】
本実施形態では、第一接地パターン１６０及び第二接地パターン１７０が、第一輻射部１２０と第二輻射部１３０との間に、それぞれ配置されている。より詳しくは、第一接地パターン１６０及び第二接地パターン１７０が、載置板１１０の第一面１１２の中間領域１１３にそれぞれ配置され、第一輻射部１２０及び第二輻射部１３０が、第一面１１２で中間領域１１３から離間する方向にそれぞれ延伸されている。本実施形態では、第一輻射部１２０が中間領域１１３の上側に配置され、第二輻射部１３０が中間領域１１３の下側に配置されている。当然ながら、第一輻射部１２０及び第二輻射部１３０の相対的な位置は、これに制限されず、第一輻射部１２０と第二輻射部１３０とが、互いに離間されていればよい。
【００２１】
また、図２に示されるように、本実施形態では、デュアルバンドアンテナモジュール１００は、第三接地パターン１８０及び複数のビア１９０を更に備える。第三接地パターン１８０は、第二面１１４で第一接地パターン１６０及び第二接地パターン１７０に対応する位置に、配置されている。第一接地パターン１６０と第三接地パターン１８０との間は、載置板１１０の内の一部分を貫通させるビア１９０により連接され、第二接地パターン１７０と第三接地パターン１８０との間は、載置板１１０の他の部分を貫通させるビア１９０により連接されている。
【００２２】
図１及び図２に示されるように、本実施形態では、第一接地パターン１６０及び第三接地パターン１８０に連接されるこれらビア１９０が、第一接地パターン１６０の外縁に沿って配列され、且つ、第二接地パターン１７０及び第三接地パターン１８０に連接されるこれらビア１９０が、第二接地パターン１７０の外縁に沿って配列されている。当然ながら、他の実施形態では、ビア１９０は、第一接地パターン１６０及び第二接地パターン１７０の辺縁ではない箇所に位置されていてもよく、ビア１９０の配置位置及び配列方式はこれに制限されない。当然ながら、他の実施形態では、第一接地パターン１６０及び第二接地パターン１７０の面積が十分であれば、デュアルバンドアンテナモジュール１００も第三接地パターン１８０及びビア１９０を省略させてもよい。
【００２３】
本実施形態では、デュアルバンドアンテナモジュール１００の第一輻射部１２０は共振結合により第一周波数帯を発生させる。第二輻射部１３０は共振結合により第二周波数帯を発生させる。本実施形態では、第一周波数帯のバンド幅が２．４ＧＨｚ帯域のバンド幅であり、約２４００ＭＨｚ〜２５００ＭＨｚの間の範囲である。且つ第二周波数帯のバンド幅が５ＧＨｚ帯域のバンド幅であり、約５１５０ＭＨｚ〜５８５０ＭＨｚの間の範囲である。当然ながら、他の実施形態において、第一周波数帯及び第二周波数帯は他のバンド幅の範囲でもよく、第一周波数帯及び第二周波数帯のバンド幅の範囲はこれに制限されない。
【００２４】
ちなみに、一般的には、デュアルバンドのアンテナ構造が直面する問題は、２つのアンテナの間のエネルギーが相互に影響し、信号が相互に干渉することである。このため、２つのアンテナの間には一定の間隔が必要であり、これにより、２つのバンドが各自良好な信号を有することができる。本実施形態では、第一フィルター１４０及び第二フィルター１５０が特別に設計されるため、デュアルバンドアンテナモジュール１００は、低コストで小型化される前提の基、第一周波数帯と第二周波数帯との間の隔離性を効果的に高まることができる。即ち、デュアルバンドアンテナモジュール１００がサイズの制限を受けて、第一輻射部１２０及び第二輻射部１３０が相当接近しても、第一フィルター１４０及び第二フィルター１５０は、第一輻射部１２０が結合させる第一周波数帯と第二輻射部１３０が結合させる第二周波数帯との間に、良好な隔離性を有することができる。
【００２５】
図１に示されるように、本実施形態では、第一フィルター１４０は、第一輻射部１２０の第一フィード端１２２から延伸され、且つ、第一輻射部１２０から離間する方向に延伸されて、中間領域１１３に進入している。本実施形態では、中間領域１１３に配置される第一接地パターン１６０は、凹部１６２を有しており、第一フィルター１４０が凹部１６２に進入している。第一フィルター１４０は、第二周波数帯の電磁波のフィルタリングに用いられる。本実施形態では、第一フィルター１４０の長さは、第二周波数帯の波長の１／４である。
【００２６】
同様に、第二フィルター１５０は、第二フィード端１３２から延伸され、且つ第二輻射部１３０から離間する方向に延伸されて、中間領域１１３まで延伸している。本実施形態では、第二フィルター１５０は、第一接地パターン１６０及び第二接地パターン１７０が近接する箇所で対応する輪郭を有し、且つ、第一接地パターン１６０の輪郭及び第二接地パターン１７０の輪郭に沿って、第一接地パターン１６０と第二接地パターン１７０との間で延伸している。第二フィルター１５０は、第一周波数帯の電磁波のフィルタリングに用いられる。本実施形態では、第二フィルター１５０の長さは、第一周波数帯の波長の１／４である。
【００２７】
換言すれば、本実施形態に係るデュアルバンドアンテナモジュール１００は、第一輻射部１２０及び第二輻射部１３０が、それぞれ共振結合により第一周波数帯及び第二周波数帯を発生させ、且つ、第一輻射部１２０の第一フィード端１２２の箇所が第一フィルター１４０により第二周波数帯のフィルタリングを行うように設計され、且つ、第二輻射部１３０の第二フィード端１３２の箇所は、第二フィルター１５０により第一周波数帯のフィルタリングを行うように設計されている。これにより、第一周波数帯と第二周波数帯との間に、良好な隔離性を有することができる。こうして、第一輻射部１２０及び第二輻射部１３０が大きな間隔を空ける必要がなくなり、デュアルバンドアンテナモジュール１００全体を小型化されることが可能になる。また、デュアルバンドアンテナモジュール１００には、デュプレクサを配置させる必要もないので、コストも低くなる。
【００２８】
図３は、図１のデュアルバンドアンテナモジュールの周波数-リターンロス及び隔離性（ｌｓｏｌａｔｉｏｎ）を示す関係図である。図３に示されるように、シミュレーションから分かるように、図１のデュアルバンドアンテナモジュール１００は、２．４ＧＨｚ帯域のバンド（ｘ軸は約２．４ＧＨｚ〜２．５５ＧＨｚの間の範囲）及び５ＧＨｚ帯域のバンド（ｘ軸は約５．６ＧＨｚ〜６ＧＨｚの間の範囲）では、リターンロスが共に−１０利得（ｄＢ）より低く、好ましいリターンロスのパフォーマンスを示す。また、図１のデュアルバンドアンテナモジュール１００は、全バンドの隔離性が−２０利得（ｄＢ）より小さいのみならず、２．４ＧＨｚ帯域のバンド及び５ＧＨｚ帯域のバンドの箇所でも低い数値を更に有し、これは２．４ＧＨｚ帯域のバンド及び５ＧＨｚ帯域のバンドで、更に好ましい隔離性を有することを表す。
【００２９】
図４は、図１のデュアルバンドアンテナモジュール１００による第１バンドがＸ-Ｚ平面におけるフィールド分布図である。図５は、図１のデュアルバンドアンテナモジュール１００による第１バンドがＹ−Ｚ平面におけるフィールド分布図である。図６は、図１のデュアルバンドアンテナモジュール１００による第１バンドがＸ−Ｙ平面におけるフィールド分布図である。図４乃至図６によると、それぞれ図１のデュアルバンドアンテナモジュール１００がＸ−Ｙ−Ｚの３次元座標の原点に置かれ、Ｘ−Ｚ平面、Ｙ−Ｚ平面、Ｘ−Ｙ平面に沿ってデュアルバンドアンテナモジュール１００により結合される第一周波数帯の異なる角度（３６０度）での放射利得値が計測される。すなわち、Ｘ−Ｚ平面、Ｙ−Ｚ平面、Ｘ−Ｙ平面では、デュアルバンドアンテナモジュール１００を中心とし、第一周波数帯の放射利得が３６０度にわたって計測され、図４乃至図６に示される放射パターンが形成される。
【００３０】
図４乃至図６に示されるように、図１のデュアルバンドアンテナモジュール１００は、Ｘ−Ｚ平面、Ｙ−Ｚ平面、Ｘ−Ｙ平面のフィールド分布が一般的な結合される２．４ＧＨｚ帯域のバンドの単体のシングルバンドアンテナのパターンに近似し、一般的なデュプレクサを有するデュアルバンドアンテナの２．４ＧＨｚ帯域のバンドにおけるパターンに近似する。換言すれば、本実施形態に係るデュアルバンドアンテナモジュール１００の第一フィルター１４０は、第二バンドを効果的に隔離させることにより、第一輻射部１２０により結合される第一バンド（例えば、２．４Ｇのバンド）が、シングルバンドアンテナ或いはデュプレクサを有するデュアルバンドアンテナに近似するという良好なパフォーマンスを有することができる。また、下記の表１から分かるように、デュアルバンドアンテナモジュール１００の第一輻射部１２０により結合される第一バンド（例えば２．４ＧＨｚ帯域のバンド、２４００ＭＨｚ〜２５００ＭＨｚの間の範囲）のアンテナの効率は、共に６０％以上であり、良好なアンテナのパフォーマンスを有する。
【００３１】
【表１】
2019075773.tif 000003
【００３２】
図７は、図１のデュアルバンドアンテナモジュール１００による第２バンドがＸ-Ｚ平面におけるフィールド分布図である。図８は、図１のデュアルバンドアンテナモジュール１００による第２バンドがＹ−Ｚ平面におけるフィールド分布図である。図９は、図１のデュアルバンドアンテナモジュールによる第２バンドがＸ−Ｙ平面におけるフィールド分布図である。同様に、図７乃至図９は、それぞれ図１のデュアルバンドアンテナモジュール１００がＸ−Ｙ−Ｚの３次元座標の原点に置かれ、Ｘ−Ｚ平面、Ｙ−Ｚ平面、Ｘ−Ｙ平面に沿ってデュアルバンドアンテナモジュール１００により結合される第二周波数帯の異なる角度（３６０度）での放射利得値が計測される。すなわち、Ｘ−Ｚ平面、Ｙ−Ｚ平面、Ｘ−Ｙ平面でデュアルバンドアンテナモジュール１００を中心とし、第二周波数帯の放射利得が３６０度にわたって計測され、図７乃至図９に示される放射パターンが形成される。
【００３３】
図７乃至図９に示されるように、図１のデュアルバンドアンテナモジュール１００は、Ｘ−Ｚ平面、Ｙ−Ｚ平面、Ｘ−Ｙ平面のフィールド分布が一般的な結合される５Ｇのバンドの単体のシングルバンドアンテナのパターンに近似し、一般的なデュプレクサを有するデュアルバンドアンテナの５Ｇのバンドにおけるパターンにも近似する。換言すれば、本実施形態に係るデュアルバンドアンテナモジュール１００の第二フィルター１５０は、第一バンドを効果的に隔離させることにより、第二輻射部１３０により結合される第二バンドがシングルバンドアンテナ或いはデュプレクサを有するデュアルバンドアンテナに近似するという良好なパフォーマンスを有することができる。また、下記の表２から分かるように、デュアルバンドアンテナモジュール１００の第二輻射部１３０により結合される第二バンド（例えば、５ＧＨｚ帯域のバンド、５１５０ＭＨｚ〜５８５０ＭＨｚの間の範囲）のアンテナの効率は、共に６０％以上であり、良好なアンテナのパフォーマンスを有する。
【００３４】
【表２】
2019075773.tif 000004
【００３５】
よって、本実施形態に係るデュアルバンドアンテナモジュール１００の第一フィルター１４０及び第二フィルター１５０の設計により、第一輻射部１２０及び第二輻射部１３０の間隔を大きくする必要がなくなり、全体的に小さいサイズを維持することが可能になる。本実施形態では、第一輻射部１２０及び第二輻射部１３０の形式は、例えば、板状逆Ｆアンテナ（Ｐｌａｎａｒ Ｉｎｖｅｒｔｅｄ−Ｆ Ａｎｔｅｎｎａ、ＰＩＦＡ Ａｎｔｅｎｎａ）が採用されることにより、デュアルバンドアンテナモジュール１００のサイズを縮小することができる。より具体的には、デュアルバンドアンテナモジュール１００が長さ２７．５ミリメートル、幅１６ミリメートル、高さ０．６ミリメートルまで縮小することができる。当然ながら、第一輻射部１２０及び第二輻射部１３０の形式及びデュアルバンドアンテナモジュール１００の長さ、幅、高さはこれに制限されない。
【００３６】
上述したように、本発明に係るデュアルバンドアンテナモジュールは、第一輻射部及び第二輻射部がそれぞれ共振結合により第一周波数帯及び第二周波数帯を発生させ、且つ、第一輻射部の第一フィード端の箇所が第一フィルターにより第二周波数帯のフィルタリングを行うように設計され、且つ、第二輻射部の第二フィード端の箇所が第二フィルターにより第一周波数帯のフィルタリングを行うように設計され、第一周波数帯と第二周波数帯との間に良好な隔離性を有することができる。こうして、第一輻射部及び第二輻射部の間に、大きな間隔を空ける必要がなくなり、デュアルバンドアンテナモジュール全体のサイズを小さくすることが可能になる。また、本発明に係るデュアルバンドアンテナモジュールには、デュプレクサの配置も不要なので、コストも低くなる。
【００３７】
従って、本明細書に開示された実施例は、本発明を限定するものではなく、説明するためのものであり、このような実施例によって本発明の思想と範囲が限定されるものではない。本発明の範囲は、特許請求の範囲により解釈すべきであり、それと同等の範囲内にある全ての技術は、本発明の権利範囲に含まれるものと解釈すべきである。
【産業上の利用可能性】
【００３８】
本発明に係るデュアルバンドアンテナモジュールは、第一輻射部と第二輻射部の間に大きな間隔を空ける必要がないため、全体的に小型化されることが可能になる。また、デュプレクサの配置も不要なので、異なるバンドの間で良好な隔離性を有し、且つコストを低くすることができる。
【符号の説明】
【００３９】
Ｘ  方向
Ｙ  方向
Ｚ  方向
１００  デュアルバンドアンテナモジュール
１１０  載置板
１１２  第一面
１１３  中間領域
１１４  第二面
１２０  第一輻射部
１２２  第一フィード端
１２４  第一接地端
１３０  第二輻射部
１３２  第二フィード端
１３４  第二接地端
１４０  第一フィルター
１５０  第二フィルター
１６０  第一接地パターン
１６２  凹部
１７０  第二接地パターン
１８０  第三接地パターン
１９０  ビア
【図１】
2019075773.tif 000005
【図２】
2019075773.tif 000006
【図３】
2019075773.tif 000007
【図４】
2019075773.tif 000008
【図５】
2019075773.tif 000009
【図６】
2019075773.tif 000010
【図７】
2019075773.tif 000011
【図８】
2019075773.tif 000012
【図９】
2019075773.tif 000013